(57)【特許請求の範囲】
【請求項１】
洗濯機の運転を制御する制御手段に操作を加えるための操作部と、その制御内容や操作内容を表示する表示部とを有するものにおいて、
前記表示部を、厚みのあるレンズから成る透明部と、これの表面に施した表示形象と、透明部の裏側に配置した不透明のバックシートとを有する構成としたことを特徴とする洗濯機の表示装置。
【請求項２】
バックシートが透光性を有し、該バックシートの裏側に発光体を有することを特徴とする請求項１記載の洗濯機の表示装置。
【発明の詳細な説明】
【技術分野】
【０００１】
本発明は、操作部と表示部とを有する洗濯機の表示装置に関する。
【背景技術】
【０００２】
従来より、洗濯機においては、制御装置による運転の制御内容や使用者による操作内容を表示する表示装置が具えられている。この表示装置は、上記制御装置に操作を加えるための操作部と、その制御内容や操作内容を表示する表示部とを有しており、図６にその従来構造を具体的に示す。
【０００３】
すなわち、従来の洗濯機の表示装置１は、表面に操作・表示シート２を被着した透明板３を、ベースパネル４の上に積層して構成されている。操作・表示シート２は、前部（図中左側部）が操作部２ａとなっており、後部（同右側部）が表示部２ｂとなっている。この関係上、ベースパネル４の前部には操作キー５が設けられ、これが透明板３を押圧操作可能に貫通してその上方に突出し、操作・表示シート２の操作部２ａと対応している。又、ベースパネル４の後半部には透光孔６が設けられている。
【０００４】
そして、ベースパネル４の下方には、操作・表示系の電子ユニット７が配設され、この電子ユニット７中のスイッチ８に上記操作キー５が対応し、発光体９に透光孔６が対応している。従って、この構成で、操作・表示シート２の操作部２ａの上から操作キー５を押圧操作すれば、スイッチ８が操作されて図示しない制御装置に相応の入力を与え、発光体９の発した光が透光孔６から透明板３を通して操作・表示シート２の表示部２ｂにおける対応箇所を照明するようになっている。
【特許文献１】特開平４−１５２９８６号公報
【発明の開示】
【発明が解決しようとする課題】
【０００５】
上記従来の表示装置１においては、全体の表面が操作・表示シート２のみで覆われたシンプルなものであり、又、その操作・表示シート２の表示内容も単にその表面でのみ見えて、高品位感のないものであった。
【０００６】
本発明は上述の事情に鑑みてなされたものであり、従ってその目的は、高品位感に富む洗濯機の表示装置を提供するにある。
【課題を解決するための手段】
【０００７】
上記目的を達成するために、本発明の洗濯機の表示装置においては、洗濯機の運転を制御する制御手段に操作を加えるための操作部と、その制御内容や操作内容を表示する表示部とを有するものにおいて、前記表示部を、厚みのあるレンズから成る透明部と、これの表面に施した表示形象と、透明部の裏側に配置した不透明のバックシートとを有する構成としたことを特徴とする（請求項１の発明）。
【発明の効果】
【０００８】
請求項１の発明によれば、家屋における上方からの照明光又は自然光が表示形象をバックシートの上に投影し、これが使用者の視線にて（一般に斜め前方から）は、透明部表面の表示形象からずれ重なって見える。よって、表示形象が影を伴ったようにして二重に見え、高品位となる。加えて、透明部は厚みのあるレンズから成っており、そのレンズの作用で、投影された表示形象の位置が透明部表面の表示形象から更にずれて見えることにより、表示態様に一層の変化をもたらすことができる。
請求項２の発明では、発光体の発する光でバックシートが照明されることで、該バックシートの上における表示形象の投影がなくなり、よって、表示形象が一重に見えるように変化し、表示態様に変化をもたらすことができる。
【発明を実施するための最良の形態】
【０００９】
以下、本発明を乾燥機能付き洗濯機に適用した一実施例（一実施形態）につき、図１ないし図５を参照して説明する。
まず、図３には、乾燥機能付き洗濯機の全体構成を示しており、外箱１１の内部に槽１２を配設している。この槽１２は、外槽１２ａと内槽１２ｂの二重槽から成るもので、それらは共に有底の円筒形を成している。これに対して、外箱１１は直方体状を成しており、この外箱１１の上部から吊下した複数本の吊り棒１３ａを主体とする支持機構１３により外槽１２ａを、ひいては槽１２の全体を縦軸状に、そして揺動可能に支持している。
【００１０】
内槽１２ｂは外槽１２ａの内部に回転可能に配設しており、この内槽１２ｂの内下部には撹拌体１４を同じく回転可能に配設し、この撹拌体１４と内槽１２ｂとを選択的に回転駆動する、一般にモータを主体とする駆動装置１５（詳しくは図示せず）を、外槽１２ａの外下方部に配設している。
【００１１】
一方、内槽１２ｂの上縁部には回転バランサ１６を取付けており、又、外槽１２ａの上縁部にはリング状の槽カバー１７を取付けていて、この槽カバー１７に、内蓋１８を後側（図中左側）でヒンジ１９により上下に開閉可能に枢着している。内蓋１８には、例えば複数の横長スリットから成る通気孔２０を形成しており、その裏側にはフィルタ２１を取付けている。
【００１２】
そして、前記外箱１１上にはトップカバー２２を装着しており、このトップカバー２２には、上記内蓋１８、ひいては内槽１２ｂ内に臨む洗濯物出入口２３を形成すると共に、該出入口２３を開閉する、この場合、２つ折り構造の蓋２４を枢着している。蓋２４は、上記内蓋１８の通気孔２０同様の排気口２５を有している。
【００１３】
又、このトップカバー２２の後部には、乾燥用の温風供給装置２６を配設している。この温風供給装置２６は、詳細には、送風羽根２７ａと、これを囲繞するケーシング２７ｂ、及び送風羽根２７ａを回転駆動するモータ２７ｃから成る送風機２７と、この送風機２７のケーシング２７ｂに連通させて該送風機２７の前方に配設したヒータケース２８、ヒータケース２８内に配設したヒータ２９、及びヒータケース２８から前記槽カバー１７の後部に形成した温風吹込口３０を接続した蛇腹状の接続ホース３１から成っている。
【００１４】
そして更に、トップカバー２２の前部には、制御装置３２を内設している。この制御装置３２は、例えばマイクロコンピュータを主体に構成したもので、洗濯機能付き乾燥機の運転を制御する制御手段として機能するものである。
【００１５】
次いで、図４は、前記トップカバー２２の前部の上面に設けた表示装置３３を示している。この表示装置３３は、前記制御装置３２に操作を加えるための操作部３４と、制御装置３２の制御内容や操作内容を表示する表示部３５とを有するもので、詳細には図５に示すように、操作部３４に、各種操作用の文字を付した操作標示部３６〜４９が存在し、表示部３５に、主として、表示形象である各種コース文字表示５０と例えば７セグメントのＬＥＤ複数組を中心とする各種数字表示５１とが存在している。
【００１６】
図２は、上記表示装置３３を断面にて示している。すなわち、この表示装置３３は、ＡＳ（アクリロニトリルスチレン）など、透明の合成樹脂から成る透明板を透明部５２として有し、これの表面にシート５３を被着している。このシート５３は、その一部である後部（図中右側部）の中央部（図５参照の表示部３５部分）が透明で透明シート５４となっており、それ以外の部分が、透明シート５４と一体であるものの、上記操作部３４の、操作標示部３６〜４９を付した表示シート５５となっている。
【００１７】
従って、この場合、透明部５２は、表面の一部である後部の中央部を残して他の表面に操作部３４の表示シート５５が被着されており、従って、操作部３４は、表示装置３３の表面全体の後部の中央部を除くほゞ全域を占めている。又、透明部５２に対するシート５３の被着は、透明部５２の成形時にシート５３をインサートすることによるものであり、すなわち、透明部５２は表面にシート５３をインサートして成形している。
【００１８】
一方、透明シート５４には、図５に示す右側の半部の表面又は裏面に、前記表示部３５の各種コース文字表示５０を付しており、かくして、透明部５２の表面に表示部３５の各種コース文字表示５０が施されている。又、この透明部５２の透明シート５４を被着した部分は、その厚みを図２に示すように周囲部より中央部ほど大きく成形することにより、レンズ（凸レンズ）５６としている。
【００１９】
これらに対して、５７はベースパネルを示しており、これは前記トップカバー２２の前部に装着したもので、これの上面に前記透明部５２を積層している。又、このベースパネル５７の後部の中央部、すなわち、前記透明部５２の透明シート５４を被着した部分の裏側に位置する箇所には、開口５８を、外周に凹段部５９を有する形態で形成し、その凹段部５９に前記表示部３５の、各種数字表示５１を有する表示シート６０を載置して、開口５８を閉塞している。
【００２０】
上記表示シート６０は、図５に示すように、上記各種数字表示５１を左側の半部にのみ有しており、残る右側の半部は不透明のバックシート６１となっている。更に詳しくは、該表示シート６０のバックシート６１となった部分は、金属調、例えば銀色の色調を有しており、なお且つ、透光性を有するものとしている。
又、ベースパネル５７には複数（図２には１つのみ図示）の操作キー６２を形成しており、これらがそれぞれ透明部５２を押圧操作可能に貫通してその上方に突出し、操作部３４の前記操作標示部３６〜４９の一つ一つとその各裏側から対応している。
【００２１】
そして、ベースパネル５７の下方には、操作・表示系の電子ユニット６３を配設しており、この電子ユニット６３中の複数あるスイッチ６４の一つ一つ（これも図２には１つのみ図示）に上記操作キー６２がそれぞれ対応し、同じく複数ある発光体（例えばＬＥＤ）６５（これも図２には１つのみ図示）にベースパネル５７の開口５８が、ひいては表示シート６０のバックシート６１部分が対応し、更には前記表示部３５の各種文字表示５０が一つ一つ対応している。
【００２２】
加えて、表示シート６０の各種数字表示５１周りには、図５に示すように、その各種数字表示５１の表示内容を示す各種文字表示６６が存在しており、上述の発光体６５には、その各種文字表示６６の一つ一つ（透光性あり）を裏側から照明するものが、上述の各種文字表示５０の一つ一つと対応するものと共に存在している。
【００２３】
かくして、透明部５２の一部である後部の中央部の裏面と更にその裏側に位置する発光体６５との間に、前記表示部３５の表示シート６０、特には各種数字表示５１部分を設けている。なお、発光体６５に対応して、図２に示すように、電子ユニット６３の基板６７上には、発光体６５を支持する支持体を兼用させて光拡散防止用の囲い部６８を形成している。
【００２４】
従って、この構成で、操作部３４の操作標示部３６〜４９の上から操作キー６２を押圧操作すれば、スイッチ６４が操作されて図示しない制御装置に相応の入力を与え、発光体６５の発した光が、表示シート６０のバックシート６１を透して表示部３５の各種文字表示５０を照明すると共に、各種文字表示６６を照明する。
【００２５】
このように本構成のものにおいては、乾燥機能付き洗濯機の運転を制御する制御装置３２に操作を加えるための操作部３４と、その制御内容や操作内容を表示する表示部３５とを有する表示装置３３において、表示部３５を、各種文字表示５０部分においては、透明部５２と、これの表面に施した表示形象である各種文字表示５０と、透明部５２の裏側に配置した不透明のバックシート６１とを有する構成とした。
【００２６】
この構成によると、図１に示すように、家屋における上方からの照明光又は自然光Ｌが各種文字表示５０（表示形象）をバックシート６１の上に投影し（投影形象５０´）、これが使用者の視線Ｅにて（一般に斜め前方から）は、透明部５２表面の各種文字表示５０からずれ重なって見える。よって、各種文字表示５０が影を伴ったようにして二重に見えることになり、高品位化できる。
【００２７】
又、バックシート６１は透光性を有し、該バックシート６１の裏側に発光体６５を有する構成ともした。この構成によると、発光体６５の発する光でバックシート６１が照明されることで、該バックシート６１の上における各種文字表示５０の投影がなくなり、よって、各種文字表示５０が一重に見えるように変化し、表示態様に変化をもたらすことができる。
【００２８】
そのほか、表面に一部を残して上記操作部３４の表示シート５５が被着された透明部５２を有し、この透明部５２の上記一部の裏面と更にその裏側に位置する発光体６５との間に前記表示部３５の表示シート６０、特には各種数字表示５１部分を設けた。
この構成によると、操作部３４の表示シート５５が透明部５２の表面に位置するのに対して、表示部３５の表示シート６０（特に各種数字表示５１部分）は透明部５２の奥に位置する。よって、表示部３５の表示シート６０の表示面（特に各種数字表示５１部分）には、透明部５２によるクリア感と奥行感が出、高品位化できる。
【００２９】
加えて、透明部５２はレンズ５６になっており、そのレンズ５６の作用で、投影された各種文字表示５０の位置（投影形象５０´）が透明部５２表面の各種文字表示５０から更にずれて見えることにより、表示態様に一層の変化をもたらすことができる。
そして、バックシート６１は金属調の色調を有しており、これによって、各種文字表示５０の投影の鮮明度を、バックシート６１が金属調の色調で増すことができる。
なお、本発明は上記し且つ図面に示した実施例にのみ限定されるものではなく、要旨を逸脱しない範囲内で適宜変更して実施し得る。
【図面の簡単な説明】
【００３０】
【図１】本発明の第１実施例を示す表示装置主要部分の縦断側面図
【図２】表示装置の縦断側面図
【図３】乾燥機能付き洗濯機の縦断側面図
【図４】乾燥機能付き洗濯機の平面図
【図５】表示装置の拡大平面図
【図６】従来例を示す図１相当図
【符号の説明】
【００３１】
図面中、３２は制御装置（制御手段）、３３は表示装置、３４は操作部、３５は表示部、５２は透明部、５０は各種文字表示（表示形象）、６１はバックシート、６５は発光体を示す。
【図１】
0004575345.tif 000002
【図２】
0004575345.tif 000003
【図３】
0004575345.tif 000004
【図４】
0004575345.tif 000005
【図５】
0004575345.tif 000006
【図６】
0004575345.tif 000007